(57)【特許請求の範囲】
【請求項１】
本体から吊るされた糸の先端におもりが設けられ、これを垂らして鉛直を調べるようになされた下げ振りであって、
本体に対して揺動可能に設けられた挟持片と、本体から延設された把手部とを具備し、
本体の自重によって本体と挟持片との間に柱が挟持されて本体が位置決め固定されるとともに、把手部を持ち上げて本体の自重を解除すると、本体と挟持片との間の柱の挟持が解除されるようになされたことを特徴とする下げ振り。
【発明の詳細な説明】
【０００１】
【発明の属する技術分野】
本発明は、柱の建入れなどを確認する際に用いられる下げ振りに関するものである。
【０００２】
【従来の技術】
従来より、図３に示すように、本体ａから吊るされた糸ｂの先端におもりｃが設けられてなる下げ振りｄが知られている。
【０００３】
この下げ振りｄは、ハンマーｅで釘ｆを打って本体ａを柱ｇに仮固定していた。
【０００４】
【発明が解決しようとする課題】
しかし、上記従来の下げ振りｄの本体ａは、柱ｇの高い位置に取り付けて用いられるため、本体ａを取り付けたり、取り外したりする際には、その都度、脚立を用いて柱ｇを昇り降りしなければならないといった不都合を生じることとなる。特に、柱ｇの建入れを確認する場合には、一つの柱ｇにつき、Ｘ方向Ｙ方向の二回測定が必要となるため、測定毎に脚立の昇り降りをして本体ａの着脱作業を行わなければならず、煩わしいといった不都合を生じていた。
【０００５】
本発明は、係る実情に鑑みてなされたものであって、脚立の昇り降り作業をすることなく簡単に着脱することができる下げ振りを提供することを目的としている。
【０００６】
【課題を解決するための手段】
上記課題を解決するための本発明の下げ振りは、本体から吊るされた糸の先端におもりが設けられ、これを垂らして鉛直を調べるようになされた下げ振りであって、本体に対して揺動可能に設けられた挟持片と、本体から延設された把手部とを具備し、本体の自重によって本体と挟持片との間に柱が挟持されて本体が位置決め固定されるとともに、把手部を持ち上げて本体の自重を解除すると、本体と挟持片との間の柱の挟持が解除されるようになされたものである。
【０００７】
把手部を手で持ち、本体を柱の所望の位置に位置させ、その位置で、本体と挟持片との間に柱を介在させる。この状態で本体を持ち上げていた把手部の手を離すと、本体の自重によって本体と挟持片との間に柱が挟持されて本体が柱に位置決め固定されることとなる。また、把手部を手で持って本体を少し持ち上げると、柱に加わっていた本体の自重が解除され、本体と挟持片との間の柱の挟持が解除される。
【０００８】
【発明の実施の形態】
以下、本発明の実施の形態を図面を参照して説明する。
【０００９】
図１は本発明に係る下げ振り１の全体構成の概略を示し、図２は同下げ振り１の使用状態を示している。
【００１０】
すなわち、この下げ振り１は、本体２と、この本体２に対して揺動可能に設けられた挟持片３と、本体２から延設された把手部４とを具備している。
【００１１】
本体２は、箱型に形成されており、そのうちの一面が、柱５に当接される当接面２１となされている。本体２は、この当接面２１を柱５に当接した状態で、下面となる部分から糸２２が出し入れできるようになされている。この糸２２は、本体２の内部に構成された糸２２の巻き取り機構（図示省略）によって、長さが調整できるようになされている。この糸２２の先端には、おもり２３が設けられる。また、本体２の一側面には、本体２を揺動可能に支持する挟持片３が設けられる。
【００１２】
この挟持片３は、揺動部３１と挟持部３２とからなる略Ｌ字状に折り曲げられて構成されている。
【００１３】
挟持片３の揺動部３１は、先端部３３から若干挟持部３２側に距離をとった位置で本体２の側面に揺動可能にビス２４で固定するようになされている。この状態で挟持部３２と、本体２の当接面２１とは、対向するようになされている。また、揺動部３１の先端部３３は、本体２の側面に固定されたスリット部材２５のスリット２６内に嵌め込まれるようになされている。これにより、挟持片３は、先端部３３の揺動範囲が、スリット２６によって制限され、挟持部３２は、本体２の当接面２１と対向する略水平状態から上方向に若干動く程度の範囲で揺動可能となされている。
【００１４】
この挟持片３の挟持部３２と本体２の当接面２１との間隔は、柱５の幅よりも若干大きくなるように設定されている。したがって、挟持片３の挟持部３２が本体２の当接面２１と対向する略水平状態では、その間に柱５を容易に嵌め込むことができるようになされている。また、上記略水平状態から挟持片３の挟持部３２が上方向に揺動した状態では、挟持部３２と当接面２１との間隔が狭まることとなり、これら挟持部３２と当接面２１との間に柱５が挟持され、その結果、柱５に本体２および挟持片３が位置決め固定されることとなる。
【００１５】
挟持片３の挟持部３２は、当接面２１と対向する面に、滑り止めとなる弾性体３４が設けられており、当接面２１との間で柱５を挟持した状態であっても、ずれないようになされている。
【００１６】
把手部４は、長さ調整可能なアジャスタ４１が設けられた棒体からなり、一端部が本体２に固定されている。
【００１７】
このようにして構成される下げ振り１は、図２（ａ）に示すように、把手部４を持って本体２を柱５の所定高さの位置まで持ち上げ、この本体２の当接面２１と挟持片３の挟持部３２との間に柱５を介在させる。
【００１８】
そして、挟持片３の挟持部３２を柱５に当接させた状態で、本体２を持ち上げていた把手部４の手を離す。すると、図２（ｂ）に示すように、下げ振り１自体が自重によって降下することによって、挟持片３が水平状態から上方向に揺動する。その結果、本体２の当接面２１と挟持片３の挟持部３２との間隔が狭くなり、本体２の当接面２１が柱５に当接された状態で、下げ振り１が柱５に位置決め固定される。
【００１９】
また、下げ振り１を柱５から取り外す際は、把手部４を持って本体２を持ち上げる。すると、図２（ａ）に示すように、挟持片３の挟持部３２と本体２の当接面２１との間隔が広がり、柱５から容易に取り外すことができる。
【００２０】
このように、下げ振り１の取り付け作業は、単に把手部４を持って柱５の所望の高さまで本体２を持ち上げて手を離すだけで行うことができ、取り外し作業も把手部４を持って本体２を少し持ち上げるだけで良いので、柱５の高い位置に下げ振り１を取り付ける場合であっても、床レベルの位置から容易に下げ振り１の着脱作業を行うことができる。
【００２１】
また、この下げ振り１は、木造であっても鉄骨であっても柱５の材質を選ばず使用することができるが、釘などで仮固定しなければならなかった木造の柱５については、特に有効に使用することができる。
【００２２】
【発明の効果】
以上述べたように、本発明によると、把手部を手で持って本体を所望の位置に位置させて手を離すことで柱に位置決め固定でき、把手部を手で持って本体を少し持ち上げることで柱から本体を取り外すことができる。
【図面の簡単な説明】
【図１】本発明に係る下げ振りを柱に取り付けた状態を示す斜視図である。
【図２】（ａ）および（ｂ）は、本発明に係る下げ振りの使用状態を説明する側面図である。
【図３】従来の下げ振りの使用状態を説明する斜視図である。
【符号の説明】
１  下げ振り
２  本体
２２  糸
２３  おもり
３  挟持片
４  把手部
５  柱
【図１】
0003720233.tif 000002
【図２】
0003720233.tif 000003
【図３】
0003720233.tif 000004